(57)【要約】【課題】  プレカット工場の自動木材加工機から出る多量の木屑を圧縮加工したものを集荷して、さらに大型製炭炉で炭にし、これを砕いたものを主原料として、稲わら繊維、澱粉湖水を加えて練合せ型枠に注ぎ、プレス機で圧縮脱水し、乾燥した炭の厚板である。【解決手段】  プレカット工場の自動木材加工機から出る、鋸屑、削屑の多量木屑を大型集塵機で集めて堆積させ、これを加工したものを集荷して、さらに大型製炭炉で炭にする。  これを砕いて、稲わら繊維、澱粉糊、水を加えて練合せ、型枠に注ぎ、圧縮脱水し、乾燥した炭の厚板である。【選択図】図４
2008025318.tif 000002
【特許請求の範囲】
【請求項１】
プレカット工場の自動木材加工機から出る多量の木屑を圧縮加工したものを集荷して、さらに大型製炭炉で炭にし、これを砕いたものを主原料として、稲わら繊維、澱粉糊、水を加えて練合せ、型枠に注ぎ、プレス機で圧縮脱水し、乾燥した炭の厚板。
【発明の詳細な説明】
【技術分野】
【０００１】  この発明は、木造建築の床下、部屋の調湿材、部屋の臭気、空気中の有害物質の除去など、住み良い環境保全を確保し、園芸では造園と花鉢つくりに炭の保水力を利用し植物を育て、さらに果物、野菜、切花から出るエチレンガスを吸収して新鮮に長く保存する炭の厚板に関するものである。
【背景技術】
【０００２】  従来、木炭ボードの製造方法は、次の通りである。
木炭１０００ｋｇを粉砕し、微粉末にして、接着剤としてアルギン酸ナトリウム２０ｋｇ、ジャガ芋澱粉１００ｋｇ、パルプ３２ｋｇを混合し、これを型に入れ、プレスし乾燥して作っていた。
【発明の開示】
【発明が解決しようとする課題】
【０００３】  そのために、従来の木炭ボードは、木炭を粉砕し微粉末を固形にするに多量の化学物質の接着剤、パルプ、ジャガ芋澱粉を加えてつくったもので、そのために原価は非常に高くついた。
そこで、本発明はプレカット工場から出る、産業廃棄物の木屑を固形にしたものをさらに炭にして、これに稲わら繊維、澱粉糊を加えたものである。
炭の特性を失わず、価格面の欠点を解決するために発明されたものである。
【課題を解決するための手段】
【０００４】  この発明の基本的な構造を説明する。
プレカット工場の自動木工加工機から出る多量の木屑を圧縮加工したものを集荷して、さらに大型製炭炉で炭にする。
これを砕いたものを主原料として、稲わら繊維、澱粉糊、水を加えて練り合せて、型枠に注ぎ、プレス機で圧縮脱水し乾燥した炭の厚板である。
【発明の効果】
【０００５】  したがって、本発明は以下に記載されるような効果を奏する。
（イ）炭が板になっているため取扱いが容易であるので、木造建築の調湿材及び吸着、吸収材、造園では保水材、そして、果物、野菜、切花のエチレンガス吸収材として、炭の特性を生かすことができた。
（ロ）プレカット工場から出る産業廃棄物の木屑を炭にしたものを主原料として製造するので原価は低く、本発明は、価格は安く提供できる。
【発明を実施するための最良の形態】
【０００６】  以下本発明の実施の形態について説明する。
（イ）プレカット工場の自動木材加工機から出る、削屑、鋸屑、鉋屑の木屑を大型集塵機で吸引し、それを集積させたものを高圧プレス機に送り、圧縮する。
（ロ）圧縮した固形物を集荷して大型製炭炉で炭に加工する。
（ハ）この炭をクラシャー機で砕いて粉末にする。
（ニ）この粉末に稲わらを３ｃｍの大きさに切り、ミキサーに入れ水を加えて切削して繊維をとり出し自然乾燥する。
これらの工程におけるそれぞれの成分比率は次のようにする。
炭の粉末        ５０ｋｇ
稲わら繊維        ３ｋｇ
澱粉糊          ２５ｋｇ
に水、１１０ｌを加えて練り合せて、これを濾過網付型枠（たて２５ｃｍよこ２０ｃｍ深さ５ｃｍ）に注ぎ、上蓋をのせてプレス機で２ｋｇ／ｃｍ２の圧力をかけて脱水する。
脱水後、型枠共大型乾燥炉に入れ、６０℃で、１２時間熱風乾燥する。
炉から出して型枠を外す。
用途に応じて型枠の大きさを変えることができる。
本発明は以上の構成でこれを使用するときは、木造住宅の調湿材及び臭気、有害物質の吸着、吸収材として活用する。
（イ）床下材は梅雨時では木材の含水率が上がり２４％に達する。
含水率が２０％以上になるとカビ、シロアリの食害が発生しやすく、長期に及ぶと腐ってくる。
床下調湿のため、木炭袋を敷いた場合、木材の含水率が２０％以下にとどまり、カビシロアリを恐れる心配はなくなる。
従来から床下調湿に多量の木炭袋（８）を土間に投入していたが本発明の炭の厚板を床下材に直接触れる（４）ことにより、調湿効果を一層高め、木材の含水率の上昇を防ぐことができる。
従来の木造住宅の床下構成は基礎コンクリート（１）の囲いの中に木炭袋（８）を投入し、基礎コンクリート（１）の上に土台（２）、土台と土台を大引き（３）で継ぎ、その上に根太タルキ（４）を釘で止めて、その上に床板（５）を貼り、洋間はその上にフローリングを貼る。
和室は畳（７）を引き詰めていた。
それを本発明の床下構成は大引き（３）の上に床下板（９）を設け、その上に根太タルキ（４）を釘で止める。
根太タルキ（４）と根太タルキ間に炭の厚板（１０）を置き、根太タルキの上に床板（５）を貼る。
洋間は、フローリングをその上に重ね貼りする。
和室は、その上に畳（７）を敷き詰める様にするものである。
（ロ）従来部屋は合板の床（フローリング貼り）はビニールクロス製の壁紙の接着剤に含まれるホルムアルデヒド、キシレンなどの揮発性の有機化合物が原因で起こるシックハウス症候群や化学物質過敏症の健康障害が問題になっている。
それを本発明は壁の裏打ち、天井板の上に並べることにより炭の強力な吸着力、吸収力で有害物質を除去しシックハウス症候群等を撃退し、快適にすごすことができる。
本発明は以上の用途以外に次のような実施も可能である。
【他の実施例１】
【０００７】  炭は光の吸収率が高く、地温を高め、保水力にも優れまた通気性もよく、保肥力もある。
したがって、本発明の特性を生かし、園芸では植物の成長を促進させることができる。
（イ）芝、青苔の植込み土壌を荒起し、地ならし、肥料を施したところに全面に貼り付けて土で覆い植込みする。
（ロ）花鉢つくりは植込み前に鉢底に入れ土盛りして定植する。
【他の実施例２】
【０００８】  さらに次の実施も可能である。
植物はエチレンガスを発生し、ガスがそこに滞留すると植物の熟成や老化、腐敗が進行する。
そこで、本発明の特性を生かして果物、野菜、切花を保存又は出荷するときに、
（イ）ダンボール箱、発泡スチロール箱等の底部、側面、上部のいずれかに１枚入れて密封する。
（ロ）ポリエチレン袋の大きさに合せて一枚入れて密封する。
このことにより、このエチレンガスを吸収するので、植物の熟成、老化、腐敗の促進を遅らせることができる。
【図面の簡単な説明】
【０００９】
【図１】  木造建築の基礎コンクリート説明図
【図２】  木造建築の床下の構成図
【図３】  従来の床下の施行の斜視図
【図４】  本発明の床下の施行の斜視図
【符号の説明】
【００１０】  １  基礎コンクリート
２  土台
３  大引き
４  根太タルキ
５  床板
６  柱
７  畳
８  木炭袋
９  床下板
１０  炭の厚板
【図１】
2008025318.tif 000003
【図２】
2008025318.tif 000004
【図３】
2008025318.tif 000005
【図４】
2008025318.tif 000006